(57)【要約】【課題】制御基板を適正に遊技機本体から取り外す作業を煩雑にすることなく、真正基板ケースの取り外しを非容易とし、不正基板ケースとの交換を効果的に防止する。【解決手段】基板上に端子３６を有する主制御基板２３と、主制御基板２３を内部に収容し、端子３６を外部に露出させた状態で封がされる基板ケース３５と、端子３６にコネクタ３８を介して電気的に接続されるケーブル３７とを備えるパチンコ遊技機１において、端子３６に接続されたコネクタ３８をコネクタカバー３９で被覆し、このコネクタカバー３９を、基板ケース３５及び主制御基板２３に対して固定すると共に、その固定解除操作を、基板ケース３５の封を切った後に許容する。【選択図】図１０
2007330366.tif 000002
【特許請求の範囲】
【請求項１】
基板上に端子を有する制御基板と、
該制御基板を内部に収容し、前記端子を外部に露出させた状態で封がされる基板ケースと、
前記端子にコネクタを介して電気的に接続されるケーブルと
を備える遊技機であって、
前記端子に接続された前記コネクタ及び／又はそれを被覆するコネクタカバーを、前記基板ケース及び／又は前記制御基板に対して固定すると共に、その固定解除操作を、前記基板ケースの封を切った後に許容することを特徴とする遊技機。
【請求項２】
前記コネクタ及び／又は前記コネクタカバーは、前記制御基板を前記基板ケースに固定するための基板固定ネジを用いて、前記基板ケース及び／又は前記制御基板に対して固定されることを特徴とする請求項１記載の遊技機。
【請求項３】
前記コネクタ及び／又は前記コネクタカバーは、前記制御基板を前記基板ケースに固定するための基板固定ネジと、前記基板ケースを閉塞状態に保持するためのケース閉塞ネジとを用いて、前記基板ケース及び／又は前記制御基板に対して固定されることを特徴とする請求項１又は２記載の遊技機。
【請求項４】
前記コネクタカバーの一端側は、前記基板ケースの位置決め部によって係合保持され、前記コネクタカバーの他端側は、少なくとも前記基板固定ネジによって前記基板ケース及び／又は前記制御基板に対して固定されることを特徴とする請求項２又は３記載の遊技機。
【請求項５】
前記制御基板は、
一方の面に配置される前記端子と、
前記基板固定ネジが挿入される貫通孔とを備え、
前記基板ケースは、
前記制御基板の一方の面を被覆する第一ケースと、
前記制御基板の他方の面を被覆する第二ケースとを備え、
前記第一ケースは、
前記端子を外部に露出させる端子孔と、
前記基板固定ネジが挿入される貫通孔とを備え、
前記コネクタ及び／又は前記コネクタカバーは、
前記第一ケースから外部に露出する前記端子に前記コネクタが接続された状態で、前記第一ケースの内側から前記制御基板及び前記第一ケースの貫通孔を介して螺入される前記基板固定ネジにて前記第一ケース及び前記制御基板に対して固定されると共に、前記第一ケースの内側に配置される前記基板固定ネジのネジ頭の操作により固定が解除され、
前記ネジ頭は、
前記第二ケースによって前記基板ケース内に被覆される
ことを特徴とする請求項１〜４のいずれかに記載の遊技機。
【発明の詳細な説明】
【技術分野】
【０００１】
本発明は、パチンコ遊技機、スロットマシンなどの遊技機に関し、特に、真正基板ケース（真正な制御基板を内部に収容した基板ケース）を取り外し、不正基板ケース（不正改造された制御基板を内部に収容した基板ケース）に交換するという不正行為を、メンテナンス性を低下させることなく効果的に防止することができる遊技機に関する。
【背景技術】
【０００２】
遊技機の制御基板を収容する基板ケースとしては、封印部を備えるものが広く知られている（例えば、特許文献１参照）。この種の封印部は、基板ケースの開放を封印し、この封印が開封されたとき、その痕跡を残すように構成されているため、制御基板に対する不正行為、例えば、真正ＲＯＭ（真正な制御プログラムが書き込まれたＲＯＭ）を不正ＲＯＭ（不正改造された制御プログラムが書き込まれたＲＯＭ）に交換する不正行為や、真正制御基板（真正なＲＯＭが搭載された制御基板）を不正制御基板（不正改造されたＲＯＭが搭載された制御基板）に交換する不正行為を防ぐ効果がある。
【０００３】
近年、基板ケースの封印構造を無効化する不正行為が発生している。例えば、制御基板の端子と、この端子にコネクタを介して接続されるケーブルとの間に、不正機器を取り付け、制御基板の入出力信号を偽装するという不正行為が知られている。このような不正行為の防止策としては、制御基板に接続されたコネクタを容易に取り外すことができないようにする構造が有効であり、その具体的な構造が特許文献２に開示されている。
【０００４】
また、基板ケースの封印構造を無効化する不正行為としては、真正基板ケース（真正な制御基板を内部に収容した基板ケース）を取り外し、不正基板ケース（不正改造された制御基板を内部に収容した基板ケース）に交換するという不正行為も知られている。このような不正行為に対しても、特許文献２の構造は有効と考えられる。つまり、真正基板ケースの取り外しに際しては、制御基板の端子に接続されたコネクタの取り外し作業が必要であり、この作業が特許文献２の構造により非容易となるからである。
【特許文献１】特許第３２６１０８４号公報
【特許文献２】特開２００６−３４７８４号公報
【発明の開示】
【発明が解決しようとする課題】
【０００５】
しかしながら、特許文献２に示される不正防止構造では、メンテナンス等の適正行為においてもコネクタの取り外し作業が非容易となってしまうため、メンテナンス性が低下するという問題がある。例えば、メンテナンスとして遊技機本体から制御基板のみを取り外す場合においても、制御基板の端子に接続されたコネクタの取り外しに際して、コネクタカバーの煩雑な取り外し作業が要求されるため、メンテナンス性も低下してしまうことになる。
【課題を解決するための手段】
【０００６】
本発明は、上記の如き実情に鑑みこれらの課題を解決することを目的として創作されたものであって、基板上に端子を有する制御基板と、該制御基板を内部に収容し、前記端子を外部に露出させた状態で封がされる基板ケースと、前記端子にコネクタを介して電気的に接続されるケーブルとを備える遊技機であって、前記端子に接続された前記コネクタ及び／又はそれを被覆するコネクタカバーを、前記基板ケース及び／又は前記制御基板に対して固定すると共に、その固定解除操作を、前記基板ケースの封を切った後に許容することを特徴とする。
このようにすると、制御基板を適正に遊技機本体から取り外す作業を煩雑にすることなく、真正基板ケースの取り外しを非容易とし、不正基板ケースとの交換を効果的に防ぐことができる。つまり、制御基板の端子に接続されたコネクタ及び／又はそのコネクタカバーを基板ケース及び／又は制御基板に固定することにより、コネクタの取り外しを非容易にするものでありながら、その固定解除操作を基板ケースの封を切った後に許容することにより、基板ケースの封が切られていない状態での不正行為、すなわち真正基板ケースを不正基板ケースに交換するという行為において真正基板ケースの取り外しを困難にする一方で、基板ケースの封が切られた状態での適正行為、すなわちメンテナンスとして遊技機本体から制御基板のみを取り外す行為においては、コネクタの取り外しを容易にし、メンテナンス性の低下を回避できる。
また、前記コネクタ及び／又は前記コネクタカバーは、前記制御基板を前記基板ケースに固定するための基板固定ネジを用いて、前記基板ケース及び／又は前記制御基板に対して固定されることを特徴とする。
このようにすると、コネクタの取り外しを非容易にするものでありながら、遊技機本体から適正に制御基板のみを取り外す場合においては、基板ケースを開放した後、基板固定ネジを外した段階で、コネクタ及び／又はコネクタカバーの固定が解除されることになるので、適正なメンテナンス行為における作業工数の増加を回避できる。
また、前記コネクタ及び／又は前記コネクタカバーは、前記制御基板を前記基板ケースに固定するための基板固定ネジと、前記基板ケースを閉塞状態に保持するためのケース閉塞ネジとを用いて、前記基板ケース及び／又は前記制御基板に対して固定されることを特徴とする。
このようにすると、コネクタ及び／又はコネクタカバーの固定解除に際し、基板固定ネジだけでなく、ケース閉塞ネジの取り外しも必要になるので、基板ケースの開放を伴わない不正行為において、コネクタの取り外しをより困難なものとできる。
また、前記コネクタカバーの一端側は、前記基板ケースの位置決め部によって係合保持され、前記コネクタカバーの他端側は、少なくとも前記基板固定ネジによって前記基板ケース及び／又は前記制御基板に対して固定されることを特徴とする。
このようにすると、コネクタカバーの一端側を位置決め状に係合保持することにより、他端側に対する基板固定ネジの螺入が容易になるだけでなく、ネジ止め箇所を減らし、メンテナンスにおける作業工数の増加を回避できる。
また、前記制御基板は、一方の面に配置される前記端子と、前記基板固定ネジが挿入される貫通孔とを備え、前記基板ケースは、前記制御基板の一方の面を被覆する第一ケースと、前記制御基板の他方の面を被覆する第二ケースとを備え、前記第一ケースは、前記端子を外部に露出させる端子孔と、前記基板固定ネジが挿入される貫通孔とを備え、前記コネクタ及び／又は前記コネクタカバーは、前記第一ケースから外部に露出する前記端子に前記コネクタが接続された状態で、前記第一ケースの内側から前記制御基板及び前記第一ケースの貫通孔を介して螺入される前記基板固定ネジにて前記第一ケース及び前記制御基板に対して固定されると共に、前記第一ケースの内側に配置される前記基板固定ネジのネジ頭の操作により固定が解除され、前記ネジ頭は、前記第二ケースによって前記基板ケース内に被覆されることを特徴とする。
このようにすると、第一ケースと第二ケースを用いて構成される一般的な遊技機用の基板ケースにおいて、本発明の不正防止構造を容易に実施できる。
【発明の効果】
【０００７】
上記のように構成された本発明によれば、制御基板を適正に遊技機本体から取り外す作業を煩雑にすることなく、真正基板ケースの取り外しを非容易とし、不正基板ケースとの交換を効果的に防ぐことができる。つまり、制御基板の端子に接続されたコネクタ及び／又はそのコネクタカバーを基板ケース及び／又は制御基板に固定することにより、コネクタの取り外しを非容易にするものでありながら、その固定解除操作を基板ケースの封を切った後に許容することにより、基板ケースの開放（基板ケースの封が切られていない状態）を伴わない不正行為、すなわち真正基板ケースを不正基板ケースに交換するという行為において真正基板ケースの取り外しを困難にする一方で、基板ケースの開放（基板ケースの封が切られた状態）を伴う適正行為、すなわちメンテナンスとして遊技機本体から制御基板のみを取り外す行為においては、コネクタの取り外しを容易にし、メンテナンス性の低下を回避できる。
【発明を実施するための最良の形態】
【０００８】
［パチンコ遊技機の全体構成］
次に、本発明の実施形態について、図面に基づいて説明する。図１及び図２において、１はパチンコ遊技機（遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【０００９】
パチンコ遊技機１の正面部は、遊技球が発射される遊技盤４と、その前方を覆う開閉自在なガラス枠５と、遊技球を貯留する上皿６と、上皿６の余剰球を貯留する下皿７と、遊技球の発射操作を行う発射ハンドル８と、台間玉貸機３に遊技球の貸出指示を行う貸出操作部９と、効果音を出力するスピーカ１０と、遊技者によって操作される演出用の操作スイッチＳとを備えており、また、パチンコ遊技機１の背面部は、払出用の遊技球を貯留する遊技球タンク１１と、遊技球タンク１１内の遊技球を上皿６に払い出す賞球払出装置１２と、遊技球を発射する発射モータ１３と、後述する各種の基板とを備えている。
【００１０】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。また、遊技盤４には、特別図柄表示装置１８、演出図柄表示装置１９、普通図柄表示装置２０などの表示装置が配置されている。特別図柄表示装置１８は、特別図柄を形式的に変動表示する表示装置であり、例えば、７セグＬＥＤや複数のＬＥＤで構成される。演出図柄表示装置１９は、特別図柄に対応した演出図柄を変動表示する表示装置であり、例えば、液晶パネル、リールユニットなどで構成され、演出図柄変動表示の他、リーチ予告演出表示、スーパーリーチ演出表示、大当り演出表示などを行う。
【００１１】
［パチンコ遊技機の基本動作］
上皿６に遊技球が貯留された状態で発射ハンドル８を回し操作すると、遊技盤４に向けて遊技球が発射される。発射された遊技球が始動口１４や入賞口（図示せず）に入賞した場合は、所定個数の遊技球が賞球として払い出される。また、遊技球がゲート（図示せず）を通過したときは、普通図柄表示装置２０において普通図柄の変動表示が行われ、その停止図柄が所定の当り図柄である場合は、始動口１４に設けられる普通電動役物１４ａが所定時間にわたって開放動作される。また、遊技球が始動口１４に入賞したときは、特別図柄表示装置１８及び演出図柄表示装置１９において特別図柄及び特別図柄に係る演出図柄の変動表示が行われ、これらの図柄が予め決められた当り配列で停止すると、遊技者が多くの遊技球を獲得可能な大当りモードとなる。
以下、大当りの開始、終了などを契機として切換えられるパチンコ遊技機１の各種遊技モードについて、図４を参照して説明する。
【００１２】
（１）通常遊技モード
このモードでは、特別図柄抽選における２段階の大当り確率のうち、低確率（例えば、１／３００）が適用される。また、このモードでは、普通図柄の抽選サイクルが長くなっている。
（２）大当りモード
このモードは、特別図柄（演出図柄）が予め決められた当り配列で停止したときに実行され、大入賞口１５に設けられる特別電動役物１５ａの開放動作が行われる。この開放動作は、所定時間の経過（例えば、３０秒）又は所定個数の入賞（例えば、１０球）を１ラウンドとし、所定のラウンド数（例えば、１５ラウンド）に亘って繰り返される。
（３）確率変動モード
このモードは、大当りモードが終了した後、所定の確率（例えば、１／２）で実行される。すなわち、特別図柄抽選の大当りには、大入賞口１５の開放動作後、特別図柄抽選の当選確率を低確率にする通常当りと、大入賞口１５の開放動作後、特別図柄抽選の当選確率を高確率にする確変当りとがある。例えば、大当り時の停止図柄が特定の確変図柄であったとき、確変当りとなる。そして、確率変動モードでは、大当り確率が高確率（例えば、１／３０）となり、また、普通図柄抽選の抽選サイクルが短く、しかも、普通電動役物１４ａの開放時間が長いため、持ち玉をほとんど減らすことなく、再び大当りを発生させることができる。
（４）時間短縮モード
このモードは、通常当りの大当りモードが終了した後に実行される。時間短縮モードでは、特別図柄抽選の大当り確率が低確率であるが、普通図柄抽選の抽選サイクルが短く、しかも、普通電動役物１４ａの開放時間が長いため、持ち玉をほとんど減らすことなく、遊技を継続することができる。ただし、このモードは、大当り終了後、特別図柄の変動回数が所定回数（例えば、１００回）となった時点で終了し、通常モードに切り換えられる。
【００１３】
［パチンコ遊技機の基板構成］
次に、パチンコ遊技機１の基板構成について、図５を参照して説明する。この図に示すように、パチンコ遊技機１は、少なくとも主基板２１と、該主基板２１からのコマンドに応じて、演出処理などを行う周辺基板２２とを備えている。本実施形態の主基板２１は、主制御基板２３、払出制御基板２４及び発射モータ制御基板２５を含み、周辺基板２２は、演出図柄表示制御基板２６、音声制御基板２７及びランプ制御基板２８を含んでいる。
【００１４】
払出制御基板２４には、玉切れスイッチ２９、払出センサ３０、払出モータ３１などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３２、タッチセンサ３３、発射モータ１３などが接続されており、発射スイッチ３２及びタッチセンサ３３がＯＮのとき、発射モータ１３を駆動させる。
【００１５】
主制御基板２３には、入賞口（図示せず）に対する遊技球の入賞を検出する入賞口スイッチＳＷ１、始動口１４に対する遊技球の入賞を検出する始動口スイッチＳＷ２、ゲート（図示せず）における遊技球の通過を検出するゲートスイッチＳＷ３、大入賞口１５に対する遊技球の入賞を検出する大入賞口スイッチＳＷ４などのセンサ類と、普通電動役物１４ａや特別電動役物１５ａを開閉動作させるソレノイドＳＯＬなどのアクチュエータ類と、特別図柄表示装置１８、普通図柄表示装置２０などの表示デバイス類とが接続されている。そして、主制御基板２３は、上記各スイッチＳＷ１〜ＳＷ４の検出信号に応じて、特別図柄抽選処理（演出図柄抽選を含む）、特別図柄表示処理、コマンド送信処理、大入賞口開閉処理などを行う。
【００１６】
演出図柄表示制御基板２６には、演出図柄表示装置１９や操作スイッチＳが接続されており、主制御基板２３からのコマンドに応じて、演出図柄表示装置１９に演出図柄を変動表示させると共に、操作スイッチＳの操作に応じたスイッチ演出表示を行う。また、音声制御基板２７には、スピーカ１０が接続されており、主制御基板２３（又は演出図柄表示制御基板２６）からのコマンドに応じて、所定の演出音声をスピーカ１０から出音させる。また、ランプ制御基板２８には、発光表示ランプＬが接続されており、主制御基板２３（又は演出図柄表示制御基板２６）からのコマンドに応じて、発光表示ランプＬを点灯動作させる。
【００１７】
［基板ケース及びコネクタカバー］
図６〜図１０に示すように、上述した各種制御基板のうち、少なくとも主制御基板２３は、封印部３４を備える基板ケース３５に収容した状態でパチンコ遊技機１の背面部に配置される。基板ケース３５は、主制御基板２３を内部に収容し、主制御基板２３上の端子３６を外部に露出させた状態で封印部３４により封がされるように構成されており、外部に露出した端子３６は、ケーブル３７を介して、前述した他の制御基板、センサ、アクチュエータ、表示デバイスなどに電気的に接続される。なお、本実施形態の端子３６はベース付ポストに取り付けられている。ケーブル３７の少なくとも一端側には、前記端子３６と電気的に接続されるコンタクトをコネクタハウジングによって収容したコネクタ３８を有している。そして、前述した他の制御基板、センサ、アクチュエータ、表示デバイスなどは、このコネクタ３８を介して主制御基板２３の端子３６に着脱自在に接続される。
【００１８】
このように構成されるパチンコ遊技機１では、封印部３４が開封操作され、基板ケース３５の封が切られると、封印部３４に開封の痕跡が残るようになっている。この痕跡は、基板ケース３５が開封されたことをパチンコ遊技機１の管理者に伝達する機能を有しており、不正行為の早期発見を可能としている。つまり、封印部３４により、主制御基板２３に対する不正行為をある程度防ぐことが可能である。しかしながら、真正基板ケース（真正な主制御基板２３を内部に収容した基板ケース３５）を取り外し、不正基板ケース（不正改造された主制御基板を内部に収容した基板ケース）に交換するという不正行為が行われると、封印部３４が無意味なものとなってしまう可能性がある。このような不正行為に対しては、主制御基板２３に接続された少なくとも一つのコネクタ３８を容易に取り外すことができない構造が有効である。つまり、真正基板ケースの取り外しに際しては、主制御基板２３の端子３６に接続されたコネクタ３８の取り外し作業が必要であり、この作業が上記の構造により非容易となるからである。以下、コネクタ３８の取り外しを非容易にする本実施形態のコネクタカバー３９及びその固定構造について説明する。
【００１９】
コネクタカバー３９は、主制御基板２３の端子３６に接続されたコネクタ３８を被覆するように形成されると共に、コネクタ３８を被覆した状態で基板ケース３５及び主制御基板２３に固定されることにより、コネクタ３８の取り外しを非容易にしている。そして、本発明においては、コネクタカバー３９を基板ケース３５及び主制御基板２３に固定するにあたり、その固定解除操作を基板ケース３５の封を切った後に許容する。このようにすると、主制御基板２３を適正にパチンコ遊技機本体から取り外す作業を煩雑にすることなく、真正基板ケースの取り外しを非容易とし、不正基板ケースとの交換を効果的に防ぐことができる。
【００２０】
つまり、主制御基板２３の端子３６に接続されたコネクタ３８をコネクタカバー３９で被覆し、該コネクタカバー３９を基板ケース３５及び主制御基板２３に固定することにより、コネクタ３８の取り外しを非容易にするものでありながら、その固定解除操作を基板ケース３５の封を切った状態の後に許容することにより、基板ケース３５の開放を伴わない不正行為、すなわち真正基板ケースを不正基板ケースに交換するという行為において真正基板ケースの取り外しを困難にする一方で、基板ケース３５の開放を伴う適正行為、すなわちメンテナンスとしてパチンコ遊技機本体から主制御基板２３のみを取り外す行為においては、コネクタ３８の取り外しを容易にし、メンテナンス性の低下を回避できる。
【００２１】
また、コネクタカバー３９は、主制御基板２３を基板ケース３５に固定するための基板固定ネジ４０を用いて、基板ケース３５及び主制御基板２３に対して固定することが好ましい。このようにすると、コネクタ３８の取り外しを非容易にするものでありながら、パチンコ遊技機本体から適正に主制御基板２３のみを取り外す場合においては、基板ケース３５を開放した後、基板固定ネジ４０を外した段階で、コネクタカバー３９の固定が解除されることになるので、適正なメンテナンス行為における作業工数の増加を回避できる。
【００２２】
また、コネクタカバー３９は、基板固定ネジ４０による固定だけでなく、基板ケース３５を閉塞状態に保持するためのケース閉塞ネジ４１を用いて、基板ケース３５及び主制御基板２３に固定することが好ましい。このようにすると、コネクタカバー３９の固定解除に際し、基板固定ネジ４０だけでなく、ケース閉塞ネジ４１の取り外しも必要になるので、基板ケース３５の開放を伴わない不正行為において、コネクタ３８の取り外しをより困難なものとできる。
【００２３】
また、コネクタカバー３９は、その一端側を、基板ケース３５の位置決め部（位置決め孔４２ｄ）によって係合保持し、他端側を、基板固定ネジ４０やケース閉塞ネジ４１によって基板ケース３５及び主制御基板２３に対して固定することが好ましい。このようにすると、コネクタカバー３９の一端側を位置決め状に係合保持することにより、他端側に対する基板固定ネジ４０やケース閉塞ネジ４１の螺入が容易になるだけでなく、ネジ止め箇所を減らし、メンテナンスにおける作業工数の増加を回避できる。
【００２４】
次に、主制御基板２３、基板ケース３５及びコネクタカバー３９の具体的な構成について説明する。本実施形態の主制御基板２３は、長方形の基板からなり、その一方の面には、ＣＰＵ、ＲＯＭ、ＲＡＭなどの電子部品（図示せず）や複数の端子３６が実装され、他方の面には、一方の面に実装された電子部品や端子３６を電気的に接続するプリント配線（図示せず）が施されている。また、主制御基板２３の角部には、基板固定ネジ４０やケース閉塞ネジ４１が挿入される貫通孔２３ａ、２３ｂが形成されている。
【００２５】
本実施形態の基板ケース３５は、主制御基板２３の一方の面を被覆する第一ケース４２と、主制御基板２３の他方の面を被覆する第二ケース４３とを備えて構成されている。
第一ケース４２は、透明な樹脂で一体成形されており、端子孔４２ａ、貫通孔４２ｂ、貫通孔４２ｃ、位置決め孔４２ｄ、係合リング部４２ｅ、ヒンジピン係合部４２ｆ、本体固定部４２ｇなどを備えている。
端子孔４２ａは、主制御基板２３上に設けられる端子３６を外部に露出させる孔であり、主制御基板２３上に設けられる端子３６の個数に合わせて複数形成されている。
貫通孔４２ｂは、基板固定ネジ４０が挿入又は螺入される孔であり、そのうちの一つは、コネクタカバー３９の他端側固定位置に対応するように形成されている。
貫通孔４２ｃは、ケース閉塞ネジ４１が挿入又は螺入される孔であり、そのうちの一つは、コネクタカバー３９の他端側固定位置に対応するように形成されている。
位置決め孔４２ｄは、コネクタカバー３９の一端側固定位置に対応するように形成される孔であり、コネクタカバー３９の一端側を係合保持するようになっている。
係合リング部４２ｅは、封印部３４を構成するためのものであり、封印部３４の封印可能回数に応じて複数形成されている。
ヒンジピン係合部４２ｆは、基板ケース３５を開閉する際に、第二ケース４３の回動支点となる部分である。
本体固定部４２ｇは、取り付けピン４４を介してパチンコ遊技機本体に固定される部分である。
【００２６】
第二ケース４３も、透明な樹脂で一体成形されており、貫通孔４３ａ、ボス部４３ｂ、ヒンジピン４３ｃ、本体係合部４３ｄなどを備えている。
貫通孔４３ａは、ケース閉塞ネジ４１が挿入又は螺入される孔であり、第一ケース４２に形成される貫通孔４２ｃの位置と対応している。
ボス部４３ｂは、封印部３４を構成するためのものであり、第一ケース４２に形成される係合リング部４２ｅの位置と対応するように複数形成されている。
ヒンジピン４３ｃは、第一ケース４２のヒンジピン係合部４２ｅに係合され、基板ケース３５を開閉する際に、第二ケース４３の回動支点となる部分である。
本体係合部４３ｄは、パチンコ遊技機本体に係合保持される部分である。
【００２７】
本実施形態のコネクタカバー３９は、被覆部３９ａ、ケーブル挿通孔３９ｂ、係合凸部３９ｃ、第一ボス部３９ｄ、第二ボス部３９ｅなどを備えている。
被覆部３９ａは、コネクタ３８を被覆する部分であり、コネクタカバー３９を基板ケース３５に固定したとき、コネクタ３８の取り外しが規制されるように形成される。
ケーブル挿通孔３９ｂは、被覆部３９ａ内からケーブル３７を引き出すための孔である。このケーブル挿通孔３９ｂの大きさは、ケーブル３７が引き出せるがコネクタ３８は引き出せない大きさとなっている。このケーブル孔３９ｂに対するケーブル３７の挿通操作は、例えば、コネクタカバー３９が多少の弾性変形が許容される材質で形成されている場合、被覆部３９ａの一部に切り込み３９ｆを形成しておけば、切り込み部３９ｆを広げることにより容易に行うことができる。なお、弾性変形の許容される範囲は、ケーブル３７の挿入は容易であるが、コネクタ３８の引き出しが不可能な範囲である。
係合凸部３９ｃは、第一ケース４２に形成される位置決め孔４２ｄに係合される部分であり、この係合により、コネクタカバー３９の一端側が第一ケース４２に係合保持される。
第一ボス部３９ｄは、基板固定ネジ４０が螺入される部分であり、コネクタカバー３９の他端側に形成されている。
第二ボス部３９ｅは、ケース閉塞ネジ４１が螺入される部分であり、コネクタカバー３９の他端側に第一ボス部３９ｄと並列するように形成されている。
【００２８】
［主制御基板の組み込み手順］
次に、基板ケース３５に対する主制御基板２３の組み込み手順について説明する。
まず、主制御基板２３を第一ケース４２に収め、基板固定ネジ４０（コネクタカバー３９の固定に兼用される基板固定ネジ４０を除く）を用いて固定する。
次に、第一ケース４２の端子孔４２ａから外部に露出した特定の端子３６にコネクタ３８を接続すると共に、このコネクタ３８をコネクタカバー３９で被覆する。
そして、コネクタカバー３９の係合凸部３９ｃを、第一ケース４２に形成される位置決め孔４２ｄに係合すると、コネクタカバー３９の一端側が第一ケース４２で係合保持される。
次に、コネクタカバー３９の固定に兼用される基板固定ネジ４０を、第一ケース４２の内側から主制御基板２３及び第一ケース４２の貫通孔２３ａ、４２ｂを介して、コネクタカバー３９の第一ボス部３９ｄに螺込む。これにより、コネクタカバー３９の他端側が第一ケース４２及び主制御基板２３に対して固定される。
【００２９】
次に、第一ケース４２のヒンジピン係合部４２ｆに第二ケース４３のヒンジピン４３ｃを係合させ、ここを回動支点として第二ケース４３を閉塞操作する。これにより、第一ケース４２の内側に配置される基板固定ネジ４０のネジ頭４０ａは、第二ケース４３によって基板ケース３５内に被覆され、コネクタカバー３９の固定解除操作が困難になる。
次に、ケース閉塞ネジ４１を第二ケース４３側から第二ケース４３及び主制御基板２３の貫通孔４３ａ、２３ｂを介して、第一ケース４２の貫通孔４２ｃに螺込む。これにより、第一ケース４２と第二ケース４３が一体的に固定され、基板ケース３５が閉塞状態に保持される。
また、特定のケース閉塞ネジ４１は、第二ケース４３、主制御基板２３及び第一ケース４２の貫通孔４３ａ、２３ｂ、４２ｃを介して、コネクタカバー３９の第二ボス部３９ｅに螺込まれる。これにより、コネクタカバー３９の他端側は、基板固定ネジ４０だけでなく、ケース閉塞ネジ４１を介して基板ケース３５及び主制御基板２３に対して固定される。
【００３０】
次に、封印部３４にて封印を行う。この封印は、第一ケース４２の係合リング部４２ｅを介して、第二ケース４３のボス部４３ｂに封印ネジ４５を螺込むことにより行われる。この封印ネジ４５は、螺込み方向への回し操作のみが許容される特殊ネジであり、封印後は、係合リング部４２ｅの基端部を切断しない限り、基板ケース３５の開放が困難になる。つまり、封印部３４の開封は、基端部の切断という痕跡が残るようになっている。
そして、封印された基板ケース３５は、本体固定部４２ｇ及び本体係合部４３ｄを介してパチンコ遊技機本体に取り付けられる。
尚、ケーブル３７の他端側に設けられるコネクタ３８おいても、その取り外しを非容易とすることが好ましい。例えば、他端側のコネクタ３８を遊技機本体の奥まった位置に配置する構造、他端側のコネクタ３８の取り外しを施錠器具を用いて規制する構造、工具を使用しないと他端側のコネクタ３８の取り外せない構造などを適用する。このようにすると、ケーブル３７の他端側のコネクタ３８を外すことにより、ケーブル３７が接続されたままの状態で真正基板ケースを取り外し、不正基板ケースに交換するという不正行為を非容易にすることができる。
【００３１】
［主制御基板の取り外し手順］
次に、基板ケース３５から主制御基板２３を適正に取り外すための手順について説明する。
まず、特定のケーブル３７（コネクタカバー３９でコネクタ３８が被覆されているケーブル）を除き、主制御基板２３の端子３６に接続されているケーブル３７を外す。
次に、パチンコ遊技機本体から基板ケース３５を取り外し、封印部３４を開封する。これは、係合リング部４２ｅの基端部を切断することにより行う。
次に、全てのケース閉塞ネジ４１を外す。これにより、ケース閉塞ネジ４１による第二ケース４３やコネクタカバー３９の固定が解除される。
次に、第二ケース４３を開放操作し、主制御基板２３の他方の面を露出させる。これにより、基板固定ネジ４０のネジ頭４０ａも露出される。
次に、全ての基板固定ネジ４０を外す。これにより、基板固定ネジ４０による主制御基板２３やコネクタカバー３９の固定が解除される。
そして、コネクタカバー３９によるコネクタ３８の被覆を解除した後、コネクタ３８を端子３６から外すと、主制御基板２３の取り外しが可能になる。
【００３２】
叙述の如く構成された本実施形態によれば、基板上に端子３６を有する主制御基板２３と、主制御基板２３を内部に収容しつつ、端子３６を外部に露出させる基板ケース３５と、端子３６にコネクタ３８を介して電気的に接続されるケーブル３７とを備えるパチンコ遊技機１において、端子３６に接続されたコネクタ３８をコネクタカバー３９で被覆し、このコネクタカバー３９を、基板ケース３５及び主制御基板２３に対して固定すると共に、その固定解除操作を、基板ケース３５の内側からのみ許容するようにしたので、主制御基板２３を適正にパチンコ遊技機本体から取り外す作業を煩雑にすることなく、真正基板ケースの取り外しを非容易とし、不正基板ケースとの交換を効果的に防ぐことができる。つまり、主制御基板２３の端子３６に接続されたコネクタ３８のコネクタカバー３９を基板ケース３５及び主制御基板２３に固定することにより、コネクタ３８の取り外しを非容易にするものでありながら、その固定解除操作を基板ケース３５の封を切った後に許容することにより、基板ケース３５の開放を伴わない不正行為、すなわち真正基板ケースを不正基板ケースに交換するという行為において真正基板ケースの取り外しを困難にする一方で、基板ケース３５の開放を伴う適正行為、すなわちメンテナンスとしてパチンコ遊技機本体から主制御基板２３のみを取り外す行為においては、コネクタ３８の取り外しを容易にし、メンテナンス性の低下を回避できる。また、コネクタカバー３９が基板ケース３５上に配置されるものであるため、コネクタカバー３９を破壊して行うような不正行為が行われた場合に、その破壊の痕跡によりパチンコ遊技機１の管理者に不正行為が行われた旨を伝達することができる。
【００３３】
また、コネクタカバー３９は、主制御基板２３を基板ケース３５に固定するための基板固定ネジ４０を用いて、基板ケース３５及び主制御基板２３に対して固定されるので、コネクタ３８の取り外しを非容易にするものでありながら、パチンコ遊技機本体から適正に主制御基板２３のみを取り外す場合においては、基板ケース３５を開放した後、基板固定ネジ４０を外した段階で、コネクタカバー３９の固定を解除でき、その結果、適正なメンテナンス行為における作業工数の増加を回避できる。
【００３４】
また、コネクタカバー３９は、主制御基板２３を基板ケース３５に固定するための基板固定ネジ４０と、基板ケース３５を閉塞状態に保持するためのケース閉塞ネジ４１とを用いて、基板ケース３５及び主制御基板２３に対して固定されるので、コネクタカバー３９の固定解除に際し、基板固定ネジ４０だけでなく、ケース閉塞ネジ４１の取り外しも必要になり、その結果、基板ケース３５の開放を伴わない不正行為において、コネクタ３８の取り外しをより困難なものとできる。
【００３５】
また、コネクタカバー３９の一端側（係合凸部３９ｃ）は、基板ケース３５の位置決め部（位置決め孔４２ｄ）によって係合保持され、コネクタカバー３９の他端側は、少なくとも基板固定ネジ４０によって基板ケース３５及び主制御基板２３に対して固定されるので、コネクタカバー３９の一端側を位置決め状に係合保持することにより、他端側に対する基板固定ネジ４０の螺入が容易になるだけでなく、ネジ止め箇所を減らし、メンテナンスにおける作業工数の増加を回避できる。
【００３６】
尚、本発明は、前記実施形態に限定されないことは勿論である。例えば、制御基板の端子に接続されたコネクタ自体を、基板ケース及び／又は制御基板に対して固定すると共に、その固定解除操作を、基板ケースの内側からのみ許容するようにしてもよい。
【図面の簡単な説明】
【００３７】
【図１】パチンコ遊技機の正面図である。
【図２】パチンコ遊技機の背面図である。
【図３】遊技盤の正面図である。
【図４】パチンコ遊技機における遊技モードの遷移を示すフローチャートである。
【図５】パチンコ遊技機の基板構成を示すブロック図である。
【図６】基板ケースの分解斜視図である。
【図７】第一ケースの平面図である。
【図８】第二ケースの平面図である。
【図９】（Ａ）はコネクタカバーの平面図、（Ｂ）は正面図、（Ｃ）は側面図である。
【図１０】（Ａ）はコネクタカバーの固定状態を示す基板ケースの要部平面図、（Ｂ）はＸ−Ｘ断面図である。
【符号の説明】
【００３８】
１    パチンコ遊技機
２３  主制御基板
３４  封印部
３５  基板ケース
３６  端子
３７  ケーブル
３８  コネクタ
３９  コネクタカバー
４０  基板固定ネジ
４１  ケース閉塞ネジ
４２  第一ケース
４３  第二ケース
【図１】
2007330366.tif 000003
【図２】
2007330366.tif 000004
【図３】
2007330366.tif 000005
【図４】
2007330366.tif 000006
【図５】
2007330366.tif 000007
【図６】
2007330366.tif 000008
【図７】
2007330366.tif 000009
【図８】
2007330366.tif 000010
【図９】
2007330366.tif 000011
【図１０】
2007330366.tif 000012